(57)【要約】【課題】優れた支持強度を有すると共に、ファッション感も含まれるチェアを提供する。【解決手段】複数並列の構成ユニットと、複数の補強ユニットと、複数の固定プレートからなるチェアであって、各構成ユニットは、前部プレートと後部プレートを有し、該前部プレートは、背当て部と、該背当て部と連結される座部と、該座部と連結される脚部と、該脚部と連結される床当て部とを備え、該後部プレートは、該前部プレートの形態と対応すると共に、該前部プレートの後側に設けられ、背当て部と、該背当て部と連結される座部と、該座部と連結される脚部と、該脚部と連結される床当て部とを備え、該補強ユニットは、該後部プレートの一側に設けられ、該固定プレートは、夫々該後部プレートの背当て部の後側、該前部プレートの座部の下側、該前部プレートの脚部の後側、該後部プレートの脚部の前側及び該前部プレートの床当て部の下側に設置されることを特徴とする。【選択図】図１
0003152056.tif 000002
【実用新案登録請求の範囲】
【請求項１】
複数並列の構成ユニットと、複数の補強ユニットと、複数の固定プレートからなるチェアであって、
各構成ユニットは、前部プレートと後部プレートを有し、該前部プレートは、背当て部と、該背当て部と連結される座部と、該座部と連結される脚部と、該脚部と連結される床当て部とを備え、該後部プレートは、該前部プレートの形態と対応すると共に、該前部プレートの後側に設けられ、背当て部と、該背当て部と連結される座部と、該座部と連結される脚部と、該脚部と連結される床当て部とを備え、
該補強ユニットは、該後部プレートの一側に設けられ、
該固定プレートは、夫々該後部プレートの背当て部の後側、該前部プレートの座部の下側、該前部プレートの脚部の後側、該後部プレートの脚部の前側及び該前部プレートの床当て部の下側に設置され、該複数並列の構成ユニットにおける後部プレートと前部プレートの脚部との距離は、両側から中央へ徐々に拡大することにより、荷重を分散すると共に、チェアの安定性を向上することを特徴とする、チェア。
【請求項２】
前記前部プレートの背当て部と座部との角度は、鈍角であり、該座部と脚部との角度は、鋭角であり、該脚部と床当て部との角度は、鈍角であることを特徴とする、請求項１に記載のチェア。
【請求項３】
前記構成ユニットにおける前部プレートの背当て部と座部との角度は、中央から外側へ徐々に縮減することにより、該前部プレートの座部がやや湾曲の円弧構造となることを特徴とする、請求項１又は２に記載のチェア。
【請求項４】
前記構成ユニットにおける前部プレートの座部と脚部との角度は、中央から外側へ徐々に拡大することにより、該前部プレートの脚部が湾曲の円弧構造となることを特徴とする、請求項３に記載のチェア。
【請求項５】
前記互いに対応する構成ユニットにおける前部プレートと後部プレートの背当て部、前部プレートの座部及び前部プレートと後部プレートの脚部は、左側へ又は右側へ湾曲することを特徴とする、請求項４に記載のチェア。
【請求項６】
前記背当て部の幅が座部と脚部の幅より狭いことを特徴とする、請求項５に記載のチェア。
【請求項７】
前記補強ユニットは、中央に位置される該構成ユニットの後部プレートの一側に設けられることを特徴とする、請求項６に記載のチェア。
【請求項８】
前記補強ユニットは、中央に位置される該構成ユニットの後部プレートの前側に設けられることを特徴とする、請求項６に記載のチェア。
【考案の詳細な説明】
【技術分野】
【０００１】
本考案は、特に優れた支持強度を有すると共に、ファッション感も含まれるチェアに関するものである。
【背景技術】
【０００２】
現在の生活水準を向上する一方、人々は、生活用品の実用性だけではなく、外観の美観性にも注目している。故に、生活用品、例えば、チェアなどの商品の売り上げは、実用性と美観性を兼備するか否かということと深く関連している。
【０００３】
従来のチェアは、例えば、図７に示すように、該チェア（２）は、複数の湾曲の部材を並列に組み合わせたものであり、第１湾曲部（２１）、第２湾曲部（２２）及び第３湾曲部（２３）を有することにより、ファッション感が含まれるチェアとなる。又、このようなチェアは、よく使用されるものであるため、特に特許文献や非特許文献に記載されていない。
【０００４】
しかしながら、前記チェア（２）の構造強度が不足であり、人間がそのチェア（２）の上に座ると、該第２湾曲部（２２）から断裂してしまうため、荷重力の不足という問題が存在している。故に、該チェアは、ファッション感が含まれていても、実用性の悪くて売り上げを向上することができず、更に、該チェアの断裂で、その上に座った使用者が怪我をする恐れがあるため、非常に危険である。
【考案の概要】
【考案が解決しようとする課題】
【０００５】
そこで、案出されたのが本考案であって、優れた支持強度を有すると共に、ファッション感も含まれるチェアを提供することを目的としている。
【課題を解決するための手段】
【０００６】
本願の請求項１の考案は、複数並列の構成ユニットと、複数の補強ユニットと、複数の固定プレートからなるチェアであって、各構成ユニットは、前部プレートと後部プレートを有し、該前部プレートは、背当て部と、該背当て部と連結される座部と、該座部と連結される脚部と、該脚部と連結される床当て部とを備え、該後部プレートは、該前部プレートの形態と対応すると共に、該前部プレートの後側に設けられ、背当て部と、該背当て部と連結される座部と、該座部と連結される脚部と、該脚部と連結される床当て部とを備え、該補強ユニットは、該後部プレートの一側に設けられ、該固定プレートは、夫々該後部プレートの背当て部の後側、該前部プレートの座部の下側、該前部プレートの脚部の後側、該後部プレートの脚部の前側及び該前部プレートの床当て部の下側に設置され、該複数並列の構成ユニットにおける後部プレートと前部プレートの脚部との距離は、両側から中央へ徐々に拡大することにより、荷重を分散すると共に、チェアの安定性を向上することを特徴とするチェア、を提供する。
【０００７】
本願の請求項２の考案は、前記前部プレートの背当て部と座部との角度は、鈍角であり、該座部と脚部との角度は、鋭角であり、該脚部と床当て部との角度は、鈍角であることを特徴とする請求項１に記載のチェア、を提供する。
【０００８】
本願の請求項３の考案は、前記構成ユニットにおける前部プレートの背当て部と座部との角度は、中央から外側へ徐々に縮減することにより、該前部プレートの座部がやや湾曲の円弧構造となることを特徴とする請求項１又は２に記載のチェア、を提供する。
【０００９】
本願の請求項４の考案は、前記構成ユニットにおける前部プレートの座部と脚部との角度は、中央から外側へ徐々に拡大することにより、該前部プレートの脚部が湾曲の円弧構造となることを特徴とする請求項３に記載のチェア、を提供する。
【００１０】
本願の請求項５の考案は、前記互いに対応する構成ユニットにおける前部プレートと後部プレートの背当て部、前部プレートの座部及び前部プレートと後部プレートの脚部は、左側へ又は右側へ湾曲することを特徴とする請求項４に記載のチェア、を提供する。
【００１１】
本願の請求項６の考案は、前記背当て部の幅が座部と脚部の幅より狭いことを特徴とする請求項５に記載のチェア、を提供する。
【００１２】
本願の請求項７の考案は、前記補強ユニットは、中央に位置される該構成ユニットの後部プレートの一側に設けられることを特徴とする請求項６に記載のチェア、を提供する。
【００１３】
本願の請求項８の考案は、前記補強ユニットは、中央に位置される該構成ユニットの後部プレートの前側に設けられることを特徴とする請求項６に記載のチェア、を提供する。
【考案の効果】
【００１４】
本考案は上記の課題を解決するものであり、後部プレート、補強ユニットが設けられることにより、チェアの構造強度を向上することができ、特殊な構造によってファッション感が含まれるチェアを製造することができる。
【図面の簡単な説明】
【００１５】
【図１】本考案に係るチェアの斜視図である。
【図２】本考案に係るチェアの他の斜視図である。
【図３】本考案に係るチェアの構成ユニットを示す側面図である。
【図４】本考案に係るチェアの構成ユニットと補強ユニットを示す側面図である。
【図５】本考案に係るチェアの側面図である。
【図６】本考案に係るチェアの正面図である。
【図７】従来のチェアを示す斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１乃至図５に示すように、本考案に係わるチェア（１）の実施例は、相互に並列に排列される１８組の構成ユニット（１１）と、６組の補強ユニット（１２）と、８組の固定プレート（１３）とを有し、第９及び第１０組の構成ユニット（１１）は、中央組とし、第１及び第１８組の構成ユニット（１１）は、最も外側における組とし、これらの構成ユニット（１１）は、夫々前部プレート（１１１）と後部プレート（１１２）を有し、該前部プレート（１１１）は、背当て部（１１１１）と、該背当て部（１１１１）と連結される座部（１１１２）と、該座部（１１１２）と連結される脚部（１１１３）と、該脚部（１１１３）と連結される床当て部（１１１４）とを備える。
【００１８】
該後部プレート（１１２）は、該前部プレート（１１１）の形態と対応すると共に、該前部プレート（１１１）の後側に設けられることにより、支持強度を向上する。該後部プレート（１１２）は、背当て部（１１２１）と、該背当て部（１１２１）と連結される座部（１１２２）と、該座部（１１２２）と連結される脚部（１１２３）と、該脚部（１１２３）と連結される床当て部（１１２４）とを備える。
【００１９】
該補強ユニット（１２）は、夫々第９と１０組、及び第８と１１組、及び第７と１２組の構成ユニット（１１）における後部プレート（１１２）の前側に設けられることにより、これらの後部プレート（１１２）の構造強度を向上する。
【００２０】
該固定プレート（１３）は、夫々該後部プレート（１１２）の背当て部（１１２１）の後側、該前部プレート（１１１）の座部（１１１２）の下側、該前部プレート（１１１）の脚部（１１１３）の後側、該後部プレート（１１２）の脚部（１１２３）の前側及び該前部プレート（１１１）の床当て部（１１１４）の下側に設置されることにより、各構成ユニット（１１）を位置決める。
【００２１】
又、該複数並列の構成ユニット（１１）における後部プレート（１１２）と前部プレート（１１１）の脚部（１１２３、１１１３）との距離は、両側から中央へ徐々に拡大することにより、使用者の重量を分散すると共に、チェア（１）の安定性を向上する。
【００２２】
又、図２、図４及び図５に示すように、該前部プレート（１１１）の背当て部（１１１１）と座部（１１１２）との角度は、鈍角であり、該座部（１１１２）と脚部（１１１３）との角度は、鋭角であり、該脚部（１１１３）と床当て部（１１１４）との角度は、鈍角であり、且つ互いに対応する構成ユニット（１１）は、例えば第９と１０組、第１と１８組の角度は等しい。
【００２３】
図２及び図７に示すように、該構成ユニット（１１）における前部プレート（１１１）の背当て部（１１１１）と座部（１１１２）との角度は、中央から外側へ徐々に縮減することにより、該前部プレート（１１１）の座部（１１１２）がやや湾曲の円弧構造となると共に、使用の快適性を向上する。更に、該構成ユニット（１１）における前部プレート（１１１）の座部（１１１２）と脚部（１１１３）との角度は、中央から外側へ徐々に拡大することにより、該前部プレート（１１１）の脚部（１１１３）が湾曲の円弧構造となると共に、使用の快適性を向上する。
【００２４】
互いに対応する構成ユニット（１１）における前部プレート（１１１）と後部プレート（１１２）の背当て部（１１１１、１１２１）、前部プレート（１１１）の座部（１１１２）及び前部プレート（１１１）と後部プレート（１１２）の脚部（１１１３、１１２３）は、左側へ又は右側へ湾曲することにより、該チェア（１）がファッション感を含むと共に、使用の快適性を向上することができる。
【００２５】
該チェア（１）の背当て部（１１１１、１１２１）の湾曲角度が座部（１１１２、１１２２）と脚部（１１１３、１１２３）との湾曲角度より大きく、故にチェア（１）における背当て部（１１１１、１１２１）の幅が座部（１１１２、１１２２）と脚部（１１１３、１１２３）の幅より狭いため、ファッション感を含む外観を達成することができる。
【００２６】
又、前記構成ユニットの前部プレート、後部プレート、補強ユニット及び固定プレートは、竹のプレート、プラスチック又はスチールなどの素材からなることができる。
【産業上の利用可能性】
【００２７】
本考案は上記の構成を有するので、後部プレート、補強ユニットが設けられることにより、チェアの構造強度を向上することができ、特殊な構造によってファッション感が含まれるチェアを製造することができる。
【符号の説明】
【００２８】
１          チェア
１１        構成ユニット
１１１      前部プレート
１１１１    背当て部
１１１２    座部
１１１３    脚部
１１１４    床当て部
１１２      後部プレート
１１２１    背当て部
１１２２    座部
１１２３    脚部
１１２４    床当て部
１２        補強ユニット
１３        固定プレート
２          チェア
２１        第１湾曲部
２２        第２湾曲部
２３        第３湾曲部
【図１】
0003152056.tif 000003
【図２】
0003152056.tif 000004
【図３】
0003152056.tif 000005
【図４】
0003152056.tif 000006
【図５】
0003152056.tif 000007
【図６】
0003152056.tif 000008
【図７】
0003152056.tif 000009